Podtech/llm-jp-corpus-v4-ja_patent huggingface dataset:
(57)【要約】      （修正有）【課題】容器奥底の奥に付着したマヨネーズを安全にかつ簡単に掻き出すことができる、マヨネーズ掻き出し棒を提供する。【解決手段】木材、又は、プラスチックの基盤の棒１の途中部分を、棒１を加工し更に細長く構成した棒２部分とするとともに、棒２部分の下方部分５を棒１の太さとし、掻き出し手段４として、マヨネーズの容器へ基盤の棒１を挿入して容器内の奥側面に付着したマヨネーズを溜め、掻き出す、細長い溝３を構成した。【選択図】図１
2007083002.tif 000002
【特許請求の範囲】
【請求項１】
木材又は、プラスチックの棒を、細長くし、下方部分の、細長い溝に、内容物を溜めることで、マヨネーズ掻き出し手段を備えた、マヨネーズ掻き出し棒
【発明の詳細な説明】
【技術分野】
【０００１】  本発明は、マヨネーズ等の容器に、挿入し、内容物を取り出す、マヨネーズ掻き出し棒に関する。
【背景技術】
【０００２】  マヨネーズ等の、容器に入った内容物は、容器に付着しやすい為、残り少なくなると手で容器を押して、取り出す他、ハサミ、カッター等で、展開し、取り出していた。
【発明の開示】
【発明が解決しようとする課題】
【０００３】しかしながら、容器はいびつで、ハサミ、カッター等による取り出し作業は、危険かつ作業効力が低く、スプーンにおいては、挿入し掻き出すには、先端の円みが大きく通過せず、又、挿入部分を通過しやすい様に、細長く先端に、従来より小さな円みをつけた、スプーンでは、円みが小さすぎ、マヨネーズを掻き出せないという問題点がある。【０００４】  本発明は、このような従来の問題を、解決しようとするもので、容器から安全にかつ簡単に、マヨネーズを掻き出すことが出来る、マヨネーズ掻き出し棒を、提供することを目的とするものである。
【課題を解決するための手段】
【０００５】  本発明は、木材又は、プラスチックの棒を、細長く構成し、下方部分に細長い溝を設け内容物を溜めることで、掻き出し手段を備えた、マヨネーズ掻き出し棒を、提供することにより、上記課題を解決したものである。
【発明の効果】
【０００６】  本発明によれば、容器にマヨネーズ掻き出し棒を挿入してから掻き出し手段を行うことにより、安全かつ迅速確実に、マヨネーズ掻き出し作業を行うことが出来る。又、細長く棒を構成することにより、容器底の奥に付着したマヨネーズも、残らず掻き出せる為確実性を更に高めることが出来る。
【発明を実施するための最良形態】
【０００７】  以下、本発明の実施の形態を図１〜図４に基づいて説明する。
【０００８】  本発明のマヨネーズ掻き出し棒は、２分の１に縮小した、図１に示されるように基盤の棒１を、下方部分５に、溝３を、有する、掻き出し手段４が設けられている。
【０００９】掻き出し棒の棒２部分は、図２に示されるように、棒１を更に細長く構成したものである。
【００１０】  次に、上記構成の動作について説明する。まず、マヨネーズの容器へ基盤の棒１を挿入し、容器内の奥側面に棒を当て、図３を含む、溝３を有する掻き出し手段４に、側面に付着したマヨネーズを溜め、掻き出す。以上の本実施形態により掻き出し効果がある。
【図面の簡単な説明】
【００１１】
【図１】本発明にかかるマヨネーズ掻き出し棒の構成を示す外観図
【図２】マヨネーズ掻き出し棒の凹凸の構成を示す側面図
【図３】マヨネーズ掻き出し手段に用いる部分の断面図
【図４】矢印と別符号
【符号の説明】
【００１２】１・・・マヨネーズ掻き出し棒の基盤になる棒
２・・・棒１を更に細長く構成した部分
３・・・マヨネーズを溜める溝
【図１】
2007083002.tif 000003
【図２】
2007083002.tif 000004
【図３】
2007083002.tif 000005
【図４】
2007083002.tif 000006
(57)【要約】      （修正有）【課題】  ビル等が地震や火災により、エレベーターや階段が使用不能な場合に安全確実に避難することを課題とする。【解決手段】  摩擦軸２，３を交互にずらしたロープに取り付ける器具（ロープ摩擦喚起具１０）によってゆっくり降下する。更に落下による事故を防ぐための安全保護ミット６を付けて、ゆっくり安全に降下避難するものである。【選択図】  図１
2007083003.tif 000002
【特許請求の範囲】
【請求項１】
ロープ摩擦喚起具〔１〕図番号（２）（３）のように摩擦軸を交互にずらすことで摩擦力                      を高める。
〔２〕図番号（２）（３）を滑らかにするために回転軸とする方法も含                      む，
〔３〕図番号（９）移動ストッパーをつける．
〔４〕図番号（６）安全保護ミットなど落下防止装置をつける。
【発明の詳細な説明】
【技術分野】
【０００１】安全降下避難具は、ロープに摩擦抵抗を与えるもので、この器具に落下による事故から守る装置、安全保護ミットを装着し、安全に降下する技術である。
【背景技術】
【０００２】従来地震や火災により、ビルディングのエレベーターや階段が使用不能な場合の有効な避難具がないように思われる。
【発明が解決しようとする課題】
【０００３】ゆっくり安全に降下避難することを課題とする。
【課題を解決するための手段】
【０００４】安全降下避難具の摩擦軸を交互に前後にずらし、摩擦抵抗を大きくしゆっくり降下させる。付属させた安全保護ミットで落下を防ぐ。
【発明の効果】
【０００５】この発明を利用することにより、安全に避難することができ、生命の安全確保が可能と考える。
【発明を実施するための最良の形態】
【０００６】安全降下避難具に体重を乗せる網又は、写真のような、尻や背胸まわしを吊し、安全を高め、負担を軽減できる。ロープに添えた手の力でスピード調整をする。
【図面の簡単な説明】
【０００７】
【図１】発明の全体図
【図２】正面図
【図３】側面図
【図４】仮の試作による利用写真
【符号の説明】
【０００８】（１）補助穴                    （２）摩擦軸（Ａ）
（３）摩擦軸（Ｂ）              （４）網等吊穴
（５）安全保護ミット吊穴        （６）安全保護ミット
（７）網等                      （８）下降ロープ
（９）移動ストッパー（移動時はずす）
（１０）ロープ摩擦喚起具
【図１】
2007083003.tif 000003
【図２】
2007083003.tif 000004
【図３】
2007083003.tif 000005
【図４】
2007083003.tif 000006
(57)【要約】      （修正有）【課題】高級生地等の洗濯物に対し、洗濯ばさみの挟持部痕跡を残さず、生地を傷めない洗濯ばさみの提供。【解決手段】洗濯ばさみの挟持部１の形を球形、又は楕円の球形にすることにより、挟持部内側５の接触面積を最小にとどめ、挟まれる生地に与える負担を最小に抑え、生地に挟持部の痕跡を残さず、傷めないようにする。【選択図】図１
2007083004.tif 000002
【特許請求の範囲】
【請求項１】
対称に向かい合わせた挟持軸に取り付けたスプリングの圧力により、先端の挟持部が閉じるように構成された洗濯ばさみにおいて、その先端の挟持部の形を球形、又は楕円の球形にすることにより、挟持部内側の接触面積を限りなく小さくすることを特徴とする洗濯ばさみ。
【発明の詳細な説明】
【技術分野】
【０００１】  本発明は、主として家庭で洗濯し、干される洗濯物の内、特に洗濯ばさみの挟持部の痕跡を残したくない生地の洗濯物を干す際に、生地に対して挟持部の痕跡を残さず、生地を傷めない洗濯ばさみに関する。
【背景技術】
【０００２】  従来の洗濯ばさみの中に、挟持部内側の凹凸部分の溝巾を小さくし、挟み方を少しソフトにしたものがある。
【発明の開示】
【発明が解決しようとする課題】
【０００３】  昨今、家庭用洗濯洗剤の種類の多様化、品質のめざましい向上等により、これまでドライクリーニングでしか洗えなかった洗濯物も家庭で簡単に洗濯できるようになり、家庭で洗濯できる衣類、生地の種類が増加するようになった。こうした洗濯物は、これを乾かす際、生地の縮みや傷みを防ぐため、乾燥機を使わず、陰干し等の自然乾燥で乾かすのが、生地を傷めないことに加え、光熱費もかけない乾かし方の内の最良の方法であるが、この時、従来の先端挟持部内側に凹凸の溝のある洗濯ばさみを使うと、生地によってはその溝の痕跡が乾いた後も残り、見た目に見苦しいものとなる。溝の痕跡が残り易く、かつ、残したくないような生地に使用する場合は、従来の洗濯ばさみに使用されているスプリングの圧力であれば、溝がなくても十分に洗濯物を固定することができ、こうした生地を扱う時には、従来の洗濯ばさみの形のままでは、生地に不必要な圧力と負担をかける結果となる。【０００４】  本発明は、このような従来の洗濯ばさみでは対応の難しい家庭の洗濯物の増加に伴い、高級生地等にも安心して使用できる、挟持部の痕跡を生地に残さない、おしゃれ着用洗濯ばさみの実現を目的とする。
【課題を解決するための手段】
【０００５】  対称に向かい合わせた挟持軸に取り付けたスプリングの圧力により、先端の挟持部が閉じるように構成された洗濯ばさみにおいて、その先端の挟持部の形を球形、又は楕円の球形にし、挟持部内側の接触面積を最小にすることにより、挟持された生地にその痕跡を残さず、傷めないようにする。さらに、挟持部を球形にすることにより、生地をひっかけたり、傷めたりすることからも防止できるようにする。
【発明の効果】
【０００６】  上述したように、本発明の洗濯ばさみは、挟持部内側の接触面積を可能な限り、小さくすることにより、挟持された生地に残る痕跡、傷みを最小限に抑えることができる。高級生地、純毛製品などの抑えられた痕跡の消えにくい生地の洗濯物にも安心して使用できる洗濯ばさみが提供できる。また、挟持部以外の部分を従来の洗濯ばさみと殆んど形を変えないことにより、従来の洗濯ばさみと同様に安価な製品として製造し、提供できる。
【発明を実施するための最良の形態】
【０００７】  以下、本発明の実施の形態を図１〜図６に基づいて説明する。【０００８】  本発明の洗濯ばさみの形態は、図１、図３、図５に示すように、一端を挟持部（１）とし、他端を開き操作部（２）とする挟持軸（３）を対称に向かい合わせ、その挟持軸に取り付けたスプリング（４）の圧力で挟持部（１）が閉じ、開き操作部（２）を指で押圧すると挟持部（１）が開くように構成する。【０００９】  上記の挟持部（１）の形を球形、又は楕円の球形にすることにより、挟持部内側（５）の接触面積を最小にする。これにより挟持部（１）に挟持される生地にかかる圧力と負担を最少に軽減し、生地にその痕跡を残したり、傷めたりすることから防止することができる。また挟持部（１）を球形にすることにより、どの方向からも生地をひっかけたりせず、その点からも生地を傷めることを防ぐことができるように構成する。
【図面の簡単な説明】
【００１０】
【図１】本発明挟持軸直線型洗濯ばさみの断面図
【図２】同直線型洗濯ばさみの側面図
【図３】同挟持軸弓型洗濯ばさみの断面図
【図４】同弓型洗濯ばさみの側面図
【図５】同挟持軸弓型二本足型洗濯ばさみの断面図
【図６】同弓型二本足型洗濯ばさみの側面図
【符号の説明】
【００１１】１  挟持部
２  開き操作部
３  挟持軸
４  スプリング
５  挟持軸内側
【図１】
2007083004.tif 000003
【図２】
2007083004.tif 000004
【図３】
2007083004.tif 000005
【図４】
2007083004.tif 000006
【図５】
2007083004.tif 000007
【図６】
2007083004.tif 000008
(57)【要約】【目的】本発明は強磁性体のスチール製鋸と磁石の磁力による吸引性を応用して木材などの材料を切断する際に最もネックとなっている切断角度の精度を熟練技能を要せず誰でもが簡単に精度良く切断できる鋸切断の角度保持方法と構成に関するものである。【構成】強磁性体のスチール製鋸１の倣い角度を設定する構成である磁石２の吸引力により、切断材５の切断作用に於て強磁性体である鋸１の側面を磁石２の吸引平面３で吸引し角度を保持しながら摩擦力の小さい前後滑り作動により切断作用をする方法を特徴とした人為手動方式の鋸切断の角度保持方法と構成。【選択図】  図１
2007083698.tif 000002
【特許請求の範囲】
【請求項１】
強磁性体のスチール製鋸１の倣い角度を設定する構成である磁石２の吸引力により、木材などの切断材５の切断作用に於て強磁性体である鋸１の側面を磁石２の吸引平面３で吸引し角度を維持しながら摩擦力の小さい前後滑り作動により切断作用をする方法を特徴とした人為手動方式の鋸切断の角度保持方法と構成。
【請求項２】
磁石２の吸引平面３に鋸１を保護し切断作用による摩擦や磁性化を極小化する薄手の耐摩耗材質の潤滑保護カバー６を有した請求項１記載の鋸切断の角度保持方法と構成
【請求項３】
切断材５へセットするベース当て部の定盤４に鋸１の切断角度倣い機構とした磁石２を有した基本構成であり、磁石２は鋸１側面との接触面を平滑とした吸引平面３構造とした鋸切断の角度保持方法と構成。
【発明の詳細な説明】
【技術分野】
【０００１】  本発明は強磁性体のスチール製鋸と磁石の磁力による吸引性を応用して木材などの材料を切断する際に最もネックとなっている切断角度の精度を熟練技能を要せず誰でもが容易に精度良く切断できる鋸切断の角度保持方法と構成に関するものである。
【背景技術】
【０００２】  従来、人為による手動式の鋸を使って木材などの材料を切断する場合は、その人の熟練度や技能により切断精度が決定するものであったし、簡単な角度定規などを使う場合に於ても単なる目安であって角度を強性作用などにより倣い補助するものではなかった。【０００３】  すなはち人為による手動式の鋸切断に於ては、その人の切断技能や器用性が従来の基本技術であった。
【発明が解決しようとする課題】
【０００４】  従来の課題を記述すれば、
（イ）素人が手動で鋸切断する際に最も難しいのが切断角度精度の保持であり、木材などの材料切断に於て直角切断を狙っても鋭角や鈍角になったりするケースが多く修正作業を余儀なくされていたし多分の精度不良も生じていた、特に今日に於ては日曜大工のように素人の切断作業が多くなり問題であった。
（ロ）切断材をベースとした簡易の角度定規を使用する場合もあるが、切断角度の目安だけであって鋸の角度を倣い補助するものではなく技能不足を補う有効な手段ではなかった。
【課題を解決するための手段】
【０００５】  いまその課題を解決するための方法と構成を説明すれば、
（イ）請求項１については強磁性体のスチール製鋸１の倣い角度機構を定盤４と磁石２により構成し、磁石２の吸引力により切断材５の切断作用に於て強磁性体であるスチール製鋸１の側面を磁石２の吸引平面３で吸引し角度を維持しながら摩擦力の小さい前後滑り作動により切断材５を切断作用をする手動方式での切断方法。
（ロ）請求項２については磁石２の吸引平面３に鋸１を保護し切断作用による摩擦を極小化し鋸１の磁性化を極小化するための薄手の耐摩耗材である潤滑保護カバー６を有した構成。
（ハ）請求項３については切断材５へセットするベース当て部の定盤４に鋸１の切断角度倣い部である磁石２を有した基本構成で、磁石２を鋸１側面との接触面が平滑の吸引平面３構造とした構成である。
【作用】
【０００６】  次に本発明の作用を述べると、
請求項１については、必要切断角度に設定した磁石２の吸引平面３に強磁性体のスチール製鋸１側面を吸引させながら前後往復作動することにより安定した倣い角度を保持しながら高精度の角度にて切断する作用である。
【０００７】  請求項２については、磁石２の吸引平面３に潤滑保護カバー６を設けることにより鋸１の摩擦による摩擦抵抗や消耗や破損や磁性化を極力少なくする作用である。
【０００８】  請求項３については切断材５へセットした定盤４と磁石２の吸引平面３からなる切断角度倣い機構に於て鋸１の切断角度を安定に保持し摩擦の少ない前後往復作動をなす作用である。
【発明を実施するための最良の形態】
【０００９】  具体実施例を述べれば、
（イ）定盤４の前部下側に切断材５との固着用のズレストッパー７を設け、磁石２と定盤４の角度を保持し調整する角度調整部８を定盤４と磁石２の取り合い部に設ける。
（ロ）定盤４の裏面に切断材５とのズレ防止部を有する。
（ハ）定盤４の両端に磁石２を嵌め込み直角に維持するための凹状の直角保持枠９と４５度に維持するための凹状の４５度保持枠１０を有するし、各保持枠と磁石２は磁力による着脱自在方式とする。
（ニ）定盤４の前部に切断材５の倣い移動用の移動ローラー１１を有する。
（ホ）磁石２の吸引平面３に潤滑剤を塗布する。
（ヘ）磁石２の下辺を定盤４より若干上げて鋸１の刃部が磁石２に当たらないための間隙を有する。
【効果】
【００１０】  本発明の磁石を使った鋸切断の角度保持方法と構成により、鋸切断技能の熟練を要せず、且無器用な人や女性でもが容易に高精度での切断を可能とするため、従来の切断精度不良による修正ロスや材料費ロスなどを節減出来ますし、脱技能化の促進により多くの素人大工さんを誕生させ、日曜大工など家族ぐるみの作業を推進し、明るく楽しく健全で創造性のある豊かな社会づくりに大きく貢献するものであります。
【図面の簡単な説明】
【図１】本発明の鋸切断の角度保持方法の一例を示す斜視図
【図２】本発明実施例のズレストッパーや角度調整部を有した一例を示す斜視図
【図３】本発明実施例の角度保持枠や移動ローラーを有した一例を示す斜視図
【符号の説明】
１は鋸
２は磁石
３は吸引平面
４は定盤
５は切断材
６は潤滑保護カバー
７はズレストッパー
８は角度調整部
９は直角保持枠
１０は４５度保持枠
１１は移動ローラー
【図１】
2007083698.tif 000003
【図２】
2007083698.tif 000004
【図３】
2007083698.tif 000005
(57)【要約】【課題】従来の単極モータをより高速に回転させる。【解決手段】従来の単極モータでは単一な円盤型であった電気伝導体部を、遊星歯車機構で構成するようにする。【選択図】図１
2007104886.tif 000002
【特許請求の範囲】
【請求項１】
電気伝導体でできた太陽歯車と遊星歯車と外輪歯車より構成される遊星歯車機構の歯車群とその回転平面と直交する磁場を発生する磁場発生装置より構成されることを特徴とする単極モータ。
【発明の詳細な説明】
【技術分野】
【０００１】本発明は、直流電流を回転力に変換する単極モータに関する。
【背景技術】
【０００２】単極モータの従来技術としては、回転可能に軸支されている軸の一端に固定されている円板状導体と、円板状導体の端部と電極との間に配置されたブラシと、その電極の他端と円板状導体の中心軸との間に配置されたブラシと、円板状導体に一様な磁場を作る磁場形成手段より構成され、ブラシより円板状導体の半径方向に電流を流すことによって、電流と磁場との間に生じるローレンツ力を得て円板状導体にトルクを発生するものがある。
【非特許文献１】内田老鶴圃新社  発行「低温工学ハンドブック」。
【発明の開示】
【発明が解決しようとする課題】
【０００３】気体や液体の攪拌にモータの回転力を使用する場合などでは、モータに要求される特性としては、トルクよりもむしろ高速の回転が求められる場合がある。【０００４】このため、従来技術より高速の回転を得る単極モータが求められた。
【課題を解決するための手段】
【０００５】上記課題を解決するために、従来単一な円盤型であった電気伝導体を、遊星歯車機構で構成するようにする。
【発明の効果】
【０００６】遊星歯車機構とは、太陽歯車，遊星歯車，外輪歯車からなる回転速度を低速または高速に変換機構であり、コンパクトな構造のわりに大きな減速比または増速比を得ることができる。【０００７】単極モータの動力源である電気伝導体を遊星歯車構造とすることにより、概観の大きさを変えずに、回転速度を増速することが可能となる。
【発明を実施するための最良の形態】
【０００８】請求項１に対応する最良の実施形態を以下に説明する。【０００９】図１は、請求項１の最良の実施形態の断面図であり、最良の実施形態が筐体１と太陽歯車回転軸２と太陽歯車３と遊星歯車回転軸４（複数）と遊星歯車５（複数）と外輪歯車６と磁場発生装置としての永久磁石７（複数）と遊星歯車回転軸ガイド８（上下１対）より構成されることを示す。【００１０】図２は、請求項１の最良の実施形態の上面図を示す。【００１１】図３は、図２より筐体１を外したときの概観図である。【００１２】図３より本最良の実施形態では、８つの永久磁石７を使用していることがわかる。【００１３】図４は、図３より永久磁石７を外したときの概観図である。【００１４】図４より本最良の実施例では、遊星歯車回転軸ガイド８は、リング状の形状をしていることがわかる。【００１５】図５は、図４より遊星歯車回転軸ガイド８を外したときの概観図である。【００１６】図５において外輪歯車６の歯は省略して記載しているが、実際は遊星歯車５に適合する歯を有している。【００１７】図６は、本最良の実施形態の作用を説明する図である。【００１８】図６に示すとおり、電源１０の正極を抵抗９を介して下面の遊星歯車回転軸ガイド８および外輪歯車６に接続し、アース１１を電源１０の負極および太陽歯車回転軸２に接続する。【００１９】このとき下面の遊星歯車回転軸ガイド８および遊星歯車回転軸４を電気伝導体で作製すれば、電流１２が外輪歯車６または遊星歯車回転軸ガイド８を介して、遊星歯車５ａ，５ｂおよび太陽歯車３を通過して太陽歯車回転軸２に流れるようになる。【００２０】また永久磁石７の上面をＮ極，下面をＳ極とすると、磁界１３は、Ｎ極からＳ極に向かって発生することになる。【００２１】この磁界１３の中を電流１２が流れるとローレンツ力が生じる。【００２２】この力は、図６中の遊星歯車５ａに対しては回転面上を手前がら裏側に向かって働き、遊星歯車５ｂに対しては裏側から手前に向かって働く。【００２３】このため外輪歯車６を固定すれば、遊星歯車５ａおよび５ｂは太陽歯車回転軸２の周りを公転運動し、これに連動し太陽歯車３も回転する。【００２４】外輪歯車６を固定した場合の減速比は、外輪歯車６の歯数をＡ，太陽歯車３の歯数をＢとして、Ｂ／（Ａ＋Ｂ）となる。【００２５】例えば。外輪歯車６の歯数を４８、太陽歯車の歯数を１６とすると減速比は、１／４となり４倍の増速を得る。【００２６】また遊星歯車機構の特徴として、太陽歯車３，遊星歯車５，外輪歯車６の内どれを固定するかによって異なる減速比が得られるため、用途により固定する歯車を変更することは可能である。【００２７】また図６の左半面に示すとおり、永久磁石７の一部形状を上面と下面で非対称にすることにより、太陽歯車３を例えばＳ極に，遊星歯車を例えばＮ極に磁化し、これによりそれぞれの歯車が引き合うため、歯車の遊びによる歯車間の非通電をなくすことが可能となる。
【図面の簡単な説明】
【００２８】
【図１】請求項１に対応する最良の実施形態の断面図。
【図２】請求項１に対応する最良の実施形態の上面図。
【図３】図２より筐体１を外したときの上面図。
【図４】図３より永久磁石７を外したときの上面図。
【図５】図４より遊星歯車回転軸ガイド８を外したときの上面図。
【図６】請求項１に対応する最良の実施形態の作用を説明する図。
【符号の説明】
【００２９】１は、筐体。
２は、太陽歯車回転軸。
３は、太陽歯車。
４は、遊星歯車回転軸。
５および５ａ，５ｂは、遊星歯車。
６は、外輪歯車。
７は、永久磁石。
８は、遊星歯車回転軸ガイド。
９は、抵抗。
１０は、電源。
１１は、アース。
１２は、電流。
１３は、磁界。
【図１】
2007104886.tif 000003
【図２】
2007104886.tif 000004
【図３】
2007104886.tif 000005
【図４】
2007104886.tif 000006
【図５】
2007104886.tif 000007
【図６】
2007104886.tif 000008
(57)【要約】【課題】  環境問題や化石燃料に関わる様々な問題から、エネルギー利用の高効率化が必要となっている。原動機で作業機を駆動して仕事を行う場合、本発明は原動機と作業機の間に挿入してエネルギー利用の効率化を計るものである。【解決手段】  永久磁石に於ける異極同士の吸着力と同極同士の反発力を、軸の回転力（トルク）に変えて出力する装置。【選択図】  図１
2007104885.tif 000002
【特許請求の範囲】
【請求項１】
二つの回転体に複数の永久磁石を取り付けるか、その回転体を複数の極が出来る様に磁化して、磁石の同極同士の反発力と異極同士の吸着力を利用した、回転体中心軸の回転力（トルク）を増大する装置。
【請求項２】
上記の回転体を、一本の軸上に複数を直列に配置する事により、軸の回転力（トルク）が配置した回転体の数の乗数倍に増大する装置。
【発明の詳細な説明】
【技術分野】
【０００１】  本発明は、原動機（発電機やガソリンエンジン等）を回転させて仕事を行う機器で、原動機のトルクに永久磁石の磁気を利用してトルクを増幅し、原動機の省エネルギー化を計る装置についてである。
【背景技術】
【０００２】  従来から永久磁石が回転体に関する物として発電機や電動機以外は、磁石カップリングや磁気浮動受け軸等で永久磁石だけでトルクを増幅する装置は無かった。【０００３】  又、永久磁石を利用した電力増幅装置や永久運動装置が発表されているが、何れも理論的に不明な点が多く性能もさだかではない。
【発明の開示】
【発明が解決しようとする課題】
【０００４】  従来より、原動機（電動機や燃料を使用するエンジン）は駆動する作業機の必要なトルクに合わせて組み合わされ使用されている。【０００５】  しかし近年のＣＯ２排出の抑制等から電力や燃料使用の高効率化が必要となっている。
【課題を解決する為の手段】
【０００６】  前記を解決するため、本発明は外部からエネルギー源を必要とせず永久磁石だけで入力軸のトルクより多くのトルクを出力軸に発生させる様にした装置である。
【０００７】  本装置を原動機と作業機の中間に取り付け駆動する場合、原動機は今迄より小型で済むため、省エネルギーとなる。
【発明の効果】
【０００８】  以上説明した様に、本発明によれば原動機のエネルギー源（電力又燃料）の消費が従来より少なくて済む事になる。例えば高効率の電動機で高効率の発電機を駆動する場合、中間に本装置を取り付けると電動機の消費する電力より発電する電力が大きくなる。
【０００９】  又、自動車のエンジンに取り付けた場合、エンジンが今迄より小型で済み、ガソリンの使用量が削減出来、省エネルギー化出来る。
【発明を実施するための最良の形態】
【００１０】  以下、本発明の実施の形態を図面に基づき詳細に説名する。【００１１】  図１は本発明の動作原理を説明する図である。図２は本発明の実施の形態の正面図であり、図３はその側面図である。又、図４は本発明のユニットを直列に接続した図である。【００１２】  図１に示す様に中心点１に回転可能なバー２があり、その先端には永久磁石３が取り付けてある。
又もう一本の中心点１で回転するバー４の先端には、永久磁石３の外側に、或る間隔をおいて互いの磁極が向かい合う様に永久磁石５及び６が取り付けてあり、永久磁石３と永久磁石５の向き合う磁極は吸着力の発生する異極とし、永久磁石３と永久磁石６の向かい合う磁極は反発力が発生する様、同極に取り付けてある。【００１３】  バー２に矢印７の方向に力を加えた場合、バーが中心点１を中心に矢印の方向に回転することにより、その先端の永久磁石３も移動する。この時、永久磁石３と永久磁石５の吸着力、永久磁石３と永久磁石６の反発力により、バー４も矢印８の方向に移動することとなる。【００１４】  この動作をテコの原理で説明すると、矢印７に矢印の方向に力を加えた場合、バー２では中心点１が支点、９が力点となる。その力は永久磁石３と永久磁石５の吸着力、永久磁石３と永久磁石６の反発力によりバー４の力点は１０となり、支点からの距離は間隔Ｂだけ増える。【００１５】  従ってバー２の力点と支点から同じ距離のバー４の点１１を作用点とした場合、バー２の力点８を動かす力に対して、バー４の作用点ではバー４の力点が磁石の力で移動した分が、Ｂだけ増える事になる。【００１６】  仮にＡの距離１０ｃｍ、Ｂの距離が２ｃｍ、矢印７に１ｋｇの力を加えた場合、バー２の力点は１０ｋｇ／ｃｍで、バー４の力点では１ｋｇ×（１０ｃｍ＋２ｃｍ）＝１２ｋｇ／ｃｍとなる。従ってバー４の作用点１１では、１２ｋｇ÷１０ｃｍ＝１．２ｋｇとなりバー２の力点９に１ｋｇの力を加えた場合、支点より同じ距離のバー４の作用点１では１．２ｋｇになる。【００１７】  図２は本発明の実施の形態を示す正面図であり、図３は側面図である。【００１８】  図２、図３に示す様に原動機で駆動する入力軸１２には、磁石取付板Ａ１３が取付けボス１４によって固定されている。磁石取付板Ａには磁石取付ヨーク１５があり、ヨークには永久磁石１６が取付けてある。【００１９】  一方、入力軸１２の先端のボス１７は出力軸１８の凹部１９に填っていて、出力軸は入力軸とはフリーの状態にあり、磁石取付板Ｂ２０には磁石取付ヨーク２２があり、永久磁石２３，２４が取付けてある。【００２０】  永久磁石１６と永久磁石２３の向き合う面の磁極はＳとＮ又はＮとＳ、吸着力が発生する様に取付けてあり、永久磁石１６と永久磁石２４の向き合う面の磁極は永久磁石１６の面がＳの場合は永久磁石２４の面もＳとし、反発する様に取り付けてある。【００２１】  入力軸を矢印の方向に回転させた場合、永久磁石１６が永久磁石２３と２４の中間くらいの位置で出力軸が回転する。この時、出力軸のトルクは入力軸のトルクより増えて出力される。【００２２】  図４は、本発明のユニットを４段直列につないで駆動するものである。磁石取付け板Ｃ２５は永久磁石１６と永久磁石２３，２４が裏表に取付けてあり、入力軸に填められているが入力軸とはフリーに動様になっている。【００２３】  本装置の入力軸を駆動した場合、その駆動トルクの４乗倍のトルクが出力される。例えば１ユニットで１．２倍トルクを増大される場合、出力は１．２×１．２×１．２×１．２＝２．０７倍となる
【図面の簡単な説明】
【００２４】
【図１】  本発明の動作原理を示す図である。
【図２】  本発明の実施の形態を示す正面図である。
【図３】  本発明の実施の形態を示す側面図である。
【図４】  本発明のユニットを直列に４段繋いだ場合の側面図である。
【符号の説名】
【００２５】  １、中心点
２、４、バー
３、５、６、永久磁石
７、８、動作方向の矢印
９、１０、力点
１１、作用点
１２、入力軸
１３、２０、２５、磁石取付板
１４、２１、磁石板固定ボス
１５、２２、磁石取付けヨーク
１６、２３、２４、永久磁石
１７、入力軸先端ボス
１８、出力軸
１９、出力軸凹部
【図１】
2007104885.tif 000003
【図２】
2007104885.tif 000004
【図３】
2007104885.tif 000005
【図４】
2007104885.tif 000006
(57)【要約】【課題】本発明は、取り付け作業が容易である住宅用分電盤１を提供することを目的としている。【解決手段】本発明に係る住宅用分電盤１は、住宅用分電盤１の基台２の側面に弾性により変形可能な固定部６を基台２に一体形成し、固定部６端部には固定つめ７を設け、住宅用分電盤１を壁面３に埋め込み取り付ける場合、壁面３内部端部に固定つめ７が係止して基台２を固定することで、最低限の部品点数で容易に壁面への取り付けができることを特徴とする。【選択図】図１
2007104811.tif 000002
【特許請求の範囲】
【請求項１】
基台に主幹ブレーカや分岐ブレーカ等の電気機器を配列し、住宅の壁面に取り付けられる住宅用分電盤において、該住宅用分電盤の基台の側面に弾性により変形可能な固定部を前記基台に一体形成し、前記固定部端部には固定つめを設け、前記住宅用分電盤を前記壁面に埋め込み取り付ける場合、前記壁面内側端部に前記固定つめが係止して基台を固定することを特徴とする住宅用分電盤。
【発明の詳細な説明】
【技術分野】
【０００１】
本発明は、基台に主幹ブレーカや分岐ブレーカ等の電気機器を配列し、住宅の壁面に取り付けられる住宅用分電盤に関するものである。
【背景技術】
【０００２】
住宅用分電盤３１は住宅の壁面３２に取り付けられるが、基台３３を壁面３２に埋め込んで取り付けることがある。この時、壁面３２には基台３３に合わせた開口３４を設け、壁面３２内部の開口３４周縁に補強材３５を取り付け、開口３４による強度不足を補っている。従来埋め込み型の住宅用分電盤３１を取り付ける際には、基台３３の側面に穴加工を施し、この穴３６にねじ３７を挿通し、壁面３２に取り付けられた補強材３５等に固定していた。
【非特許文献１】２００５  カワムラ  総合カタログ  電設資材編  平成１７年５月１日発行
【発明の開示】
【発明が解決しようとする課題】
【０００３】
しかしながら上記住宅用分電盤３１の取り付け方法では、基台３３に施す穴加工の作業が煩雑で時間がかかるという欠点があった。また、ねじ３７等の部品が必要となり、部品管理の手間が煩雑であった。
【課題を解決するための手段】
【０００４】
そこで本発明は、取り付け作業が容易である住宅用分電盤を提供することを目的とし、その構造は、住宅用分電盤の基台の側面に弾性により変形可能な固定部を基台に一体形成し、固定部端部には固定つめを設け、住宅用分電盤を壁面に埋め込み取り付ける場合、壁面内部端部に固定つめが係止して基台を固定することを特徴とする。
【発明の効果】
【０００５】
本発明に係る住宅用分電盤は、住宅用分電盤の基台の側面に弾性により変形可能な固定部を基台に一体形成し、固定部端部には固定つめを設け、住宅用分電盤を壁面に埋め込み取り付ける場合、壁面内部端部に固定つめが係止して基台を固定するため、ねじ等の部品が必要なく、コストの削減を図ることができる。また、取り付け作業も、壁面の開口に住宅用分電盤をはめ込むだけでよく、作業時間も削減できる。
【発明を実施するための最良の形態】
【０００６】
製造コストや作業時間削減という目的を、部品を減らして実現した。
【実施例１】
【０００７】
本発明に係る住宅用分電盤の実施例を図１〜図２の添付図面に基づいて説明する。
【０００８】
本発明に係る住宅用分電盤１は、基台２に主幹ブレーカや分岐ブレーカ等の電気機器を配列し、電気機器間は導電バーや電線等で接続されて構成される。住宅用分電盤１は住宅の壁面３に取り付けられる。取り付け方法は、主に壁面３に露出させて取り付ける露出型と、基台２部分を壁面３に埋め込んで取り付ける埋め込み型とがある。本発明は、基台２部分を壁面３に埋め込んで取り付ける埋め込み型の住宅用分電盤１に関する。
【０００９】
基台２を壁面３に埋め込んで取り付ける場合、壁面３には基台２に合わせた開口４を設け、開口４の周縁には壁面３の内側より補強材５を取り付け、開口４による壁面３の強度不足を補っている。
【００１０】
基台２の側面には固定部６を形成する。固定部６の端部には固定部６と一体に固定つめ７を形成し、基台２を壁面３に差し込んだ時、固定つめ７が補強材５に当たり固定部６は弾性によりたわみ、基台２の内側に押し込まれながら基台２は壁面３の奥へ移動する。固定つめ７が補強材５の部分を通り抜けると、固定つめ７は元の位置に戻り、固定つめ７が補強材５に係止して基台２は壁面３に固定される。
【実施例２】
【００１１】
本発明に係る住宅用分電盤の実施例を図３の添付図面に基づいて説明する。
【００１２】
基台８の側面には固定部９を形成する。固定部９の端部には固定つめ１０を回動可能に取り付ける。
【００１３】
基台８を住宅の壁面１１に埋め込んで取り付ける場合には、固定つめ１０を起こす。基台８を壁面１１に差し込んだ時、固定つめ１０が補強材に当たり固定部９は弾性によりたわみ、基台８の内側に押し込まれながら基台８は壁面１１の奥へ移動する。固定つめ１０が補強材の部分を通り抜けると、固定つめ１０は元の位置に戻り、固定つめ１０が補強材に係止して基台８は壁面１１に固定される。
【００１４】
また、基台８を住宅の壁面１１に露出させて取り付ける場合には、固定つめ１０をたたんで、基台８の背面を壁面１１にねじ止め等により固定する。固定つめ１０が壁面より外に出るため、固定つめ１０が回動可能でたたむことで、固定つめ１０が基台８の側面と面一になり、壁面１１に露出させて取り付ける場合にも美観が損なわれない。
【００１５】
固定つめが回動可能であるため、住宅用分電盤の基台８を壁面１１に埋め込む場合も露出して取り付ける場合も共用できるので、施工現場にて取り付け方法が変更になっても柔軟に対応することができる。
【産業上の利用可能性】
【００１６】
住宅用分電盤の基台には固定部が設けられ、固定部の端部には固定つめが形成されることで、住宅用分電盤を取り付ける時にねじ等の細かい部品が不要なので手間をかけずに設置したい場合に有効である。
【図面の簡単な説明】
【００１７】
【図１】本発明に係る住宅用分電盤の実施例を示す側面図である。（実施例１）
【図２】本発明に係る住宅用分電盤の取り付け方法を示す説明図である。（実施例１）
【図３】本発明に係る住宅用分電盤の取り付け方法を示す側面図である。（実施例２）
【図４】従来の住宅用分電盤の取り付け方法を示す説明図である。
【符号の説明】
【００１８】
１    住宅用分電盤
２    基台
３    壁面
４    開口
５    補強材
６    固定部
７    固定つめ
８    基台
９    固定部
１０  固定つめ
１１  壁面
【図１】
2007104811.tif 000003
【図２】
2007104811.tif 000004
【図３】
2007104811.tif 000005
【図４】
2007104811.tif 000006
(57)【要約】【課題】  小型、高音質で制作が容易、設置方法も自由なスピーカーシステムを提供する。【解決手段】内管、外管という二重の管を用いて先細りの音道を作り、スピーカーユニット背面の音波を導く、音道内で音波は反射を繰り返し、減衰、消滅する。また、振動板の振幅の大きい低音再生時には、内部の空気が適度なバネとなり振動板の振れ過ぎを押さえるため、低音から高音まで、応答性の高い音の再生が可能である。狭小なエンクロージャーでも、内部に定在波がほとんど発生せず、吸音材が不要である。縦、横、斜め等、設置の仕方も自由にできる。音道は、内管の外周面に、厚みのある帯状のものを巻き付け、内管外周面の音道側壁に沿って三角形に切り取り外管に挿入すれば容易に作成できる。【選択図】図１
2007104620.tif 000002
【特許請求の範囲】
【請求項１】
二重管による小型、高音質スピーカー
【請求項２】
制作が容易である
【請求項３】
設置方法も縦、横、斜め等自由である
【請求項４】
点音源であるため、音像定位、音場感に優れている
【発明の詳細な説明】
【技術分野】
【０００１】  この発明はスピーカーシステムに関する。
【背景技術】
【０００２】  従来のスピーカーシステムである逆ホーン方式の応用である。
【発明の開示】
【発明が解決しようとする課題】
【０００３】  逆ホーン方式は図１に示すように、長い音道が必要で、一般にエンクロージャーが大型となり、設置方法も制約を受ける。
【課題を解決するための手段】
【０００４】  二重管を用いて、スピーカーユニット背面の音波を筐体の後側で直角に折り曲げ外管と内管の間に作られた音道入口より先細りの螺旋状の音道に導く様にした。
外形は単純な円筒型であり、立てて上向きにして使用することも、寝かせて横向きにして使用することも、外管を掴む金具等を利用して、自由な角度に傾けて使用することもできる。
【発明の効果】
【０００５】  小型、高音質である。設置方法も自由に選択できる。
【発明を実施するための最良の形態】
【０００６】  この発明の実施形態を図１に示す
スピーカーユニット１の背面からの音波は内管５の中を通り背面バッフル９に達すると同時に、外管７と内管５の間にある音道入口１１に導かれる。
音道入口１１より螺旋音道１０に入った音波は、外管７と内管５の間に形成された螺旋音道１０を回転しながら上昇し、音道内部で反射を繰り返し、減衰、消滅する。
音道側壁６の間隔は、指数関数に従い入口１１からの距離に応じて一定の割合で狭まっている。そして、音道は終端部においてドーナツ状の円盤である遮蔽板４によって閉じられている。
従って、このスピーカーはスピーカーユニット１の前面からの音だけを聴くことになり、エンクロージャー内部からの音波の干渉を受けないすっきりした音を聴くことができる。
また、密閉された空気が、スピーカーユニット１の振動板に対してバネの様な働きをするため、振動板の振れやすい低音域において、振動板の振れすぎを押さえ、応答性の高い低音を再生することができる。
螺旋音道９の制作は、内管の外周面に厚みのある帯状のもの（例  紙バンド等）を数層に巻き付けて音道側壁６を作成し、内管の側面を音道側壁６に沿って三角形に切り取る、これを外管７に挿入すれば螺旋音道９と、音道入口１１が出来上がる。
このスピーカーの外形はごく単純な円筒型であり、垂直に立ててスピーカーユニット１を上向けにして使用することも、水平に寝かせて、横向きにして使用することもできる、また、外管７を掴む金物等、およびその脚部なるものを使って、自由な角度に傾けて使用することも可能である。
円筒状の構造で、前面バッフル２が小面積であるので、バッフルによる音波の回折がなく、点音源がより明確になり、音像が明確になる。
また、音場も通常の箱形スピーカーとは異なり、空間表現が見えやすい感じになる。【０００７】「実施形態の効果」
この実施形態によれば、エンクロージャーを極めて小型にできる、高音質を保ちながら、スピーカーユニットによって定まる、Ｖａｓ（等価換算容積）から大きく逸脱しない範囲の内容積までエンクロージャーを小さくすることができる。【０００８】「他の実施形態」
スピーカーユニット背面の空きスペースは、スピーカーユニットの選択によっては取らなくとも良い。このスペースに補強を兼ねてパテ等３を盛りつければ、より音質が最善される。また、背面バッフル板９にパテ等で円錐型の反射板８作成して付けても良い，補強の効果も期待できる。
外管７、内管５を丸パイプではなく、四角パイプ等にすることも可能である。
【図面の簡単な説明】
【０００９】
【図１】この発明の一実施形態を示す断面図である。内管まわりは外観図で示している。矢印は、音波の進行方向を示す。
【図２】従来技術を示す断面図である。
【符号の説明】
【００１０】１．スピーカーユニット  ２．前面バッフル  ３．パテ等  ４．遮蔽板
５．内管  ６．音道側壁  ７．外管  ８．反射板  ９．背面バッフル
１０．螺旋音道  １１．音道入口  １２．エンクロージャー  １３．音道
【図１】
2007104620.tif 000003
【図２】
2007104620.tif 000004
(57)【要約】【課題】携帯電話に用いるセンター受信機能の動画は、最初から携帯電話に内蔵されているもので、面白みがなく作業的なものであった。【解決手段】センター受信メール確認画面にメール判定の有無が楽しい動画を設ける。動画は、楽しみを提供できるものでパチンコのリーチアクションやパチスロのボーナス確定演出などである。例をあげると、メール受信高確率時演出動画１、メール着信確定動画２、メール非着信動画３である。また携帯電話サイトでセンター受信専用の動画を配信することにより、様々な種類から動画を選べて、センター受信機能の楽しみが増える。【選択図】図１
2007104622.tif 000002
【特許請求の範囲】
【請求項１】
携帯電話のセンター受信機能のメールの有無にパチンコのリーチアクションやパチスロのボーナス確定演出のように当たりはずれの要素を持った動画を設けたことを特徴とするセンター受信方法及びプログラム。
【請求項２】
前記のセンター受信機能に用いるパチンコのリーチアクションやパチスロのボーナス確定動画の提供を行うことを特徴とする携帯電話サイト運営システム。
【発明の詳細な説明】
【技術分野】
【０００１】  この発明は、携帯電話のセンター受信機能に用いる方法に関する。
【背景技術】
【０００２】  従来の携帯電話のセンター受信に用いる動画は、図２に示すように、携帯電話に本来から内蔵されているものである。
【発明の開示】
【発明が解決しようとする課題】
【０００３】  しかしながら、以上の技術によれば、メールの有無の判定だけで、楽しみがなかった。
そこで、この発明は携帯電話のセンター受信動画に当たりはずれの動画で楽しみを提供することを課題とする。
【課題を解決するための手段】
【０００４】  以上の課題を解決するために、第一発明は、携帯電話のセンター受信機能にパチンコのリーチアクションの動画などでメールの判定の有無を設けたことを特徴とするセンター受信システムである。
また第二発明は、センター受信機能に用いる、パチンコやパチスロなどの人気のあるキャラクターのリーチ演出、またボーナス確定の動画を提供することを特徴とする携帯電話サイト運営システムである。
【発明の効果】
【０００５】  第一発明によれば、携帯電話のセンター受信機能に当たりはずれの判定の動画を設けたので、センター受信の楽しみが増す。メール受信に手動受信の設定を行っていて必然的にメールがメールセンターに詰まる人達や、家の電波などが悪く、メールがよく詰まってしまうがセンター受信機能を使用するのが面倒な人達には効果的である。また飛行機などに長い時間乗っていて電源を切っていた後などやクリスマスやお正月などのメール混雑時にはメールが詰まることがよくあるので、その際にはセンター受信の利用者が増えることもあり、効果が期待できる。【０００６】  第二発明によれば、センター受信機能専用の動画の管理をおこなう携帯電話サイトを設けたので、好きな動画をセンター受信画面に設定できる。
【発明を実施するための最良の形態】
【０００７】  この発明の一実施形態を、図１に示す。
センター受信動画の一例として、図１のように演出動画１を加えメールの着信が確認できた場合はメール着信確定動画２を、メールの着信が確認できない場合はメール非着信動画３をながす。【０００８】「実施形態の効果」
この実施形態によれば、演出動画を確率により変化させることにより、さまざまな演出が発生し、従来のように同じ画像ではないため楽しみが増える、また他の動画を携帯電話サイトでダウンロードすることにより飽きがこない。【０００９】「他の実施形態」
図１の実施形態では、動画は自作のパチンコのリーチアクションであったが、他の実施形態では、メーカーが提供するパチンコのリーチアクションやパチスロの確定演出を設けたものや有無が判別できて、楽しみを提供できる動画を設けたものなら、許可が下りる範囲でどのような動画でも良い。
【図面の簡単な説明】
【００１０】
【図１】この発明の一実施形態を示す斜視図である。
【図２】従来技術を示す斜視図である。
【符号の説明】
【００１１】  １  メール受信高確率時演出動画              ２  メール着信確定動画
３  メール非着信動画
【図１】
2007104622.tif 000003
【図２】
2007104622.tif 000004
(57)【要約】【課題】映画館に負けない臨場感が得られるＴＶが作られたとき視聴者が空想する        ことの１つの家電製品向け立体映像装置の新たな提案である。        あくまでも音、映像はコードでつないである平面テレビより得られる。【解決手段】        音と動画のずれは平面テレビが動作しているので、あくまでも        流体映像の動画への移行がスムースにいけば、問題点はない。【特許請求の範囲】
【請求項１】
自動フォ―カスレンズを連続的に使い光や映像に音を加えた立体映像
を人や建物毎に目まぐるしく変化する多重視点がその日その時の
固定された又は運動中の座標によりいつも異なる臨場感付きの映像空間
表現装置である。
【発明の詳細な説明】
【技術分野】
【０００１】
本発明は今ある家電製品へあとから装置を簡単に接続し立体動画を楽しむ
ものである。飽きの来ないＴＶ好きや新しいレンタルソフトの活用方法を
求める人向きである家電製品の従来までの技術の組み合わせがエンジンに
なる新製品である。
【背景技術】
【０００２】
できるだけ小さく薄いフラットワイドプラズマディスプレイ装置を同サイズ
２枚用意し互いに均一に向かい合わせ両方の間の中に映像データを光の源も
兼ねるための透明な球体または透明の箱と平面ＴＶでみられる画像情報の２
つが流入し一時的に小さな立体映像を再現させ、次のデータが毎秒おきに送
られてきた後ゆっくりと上部へおくられて完成品につけられた自動焦点フォ
ーカス機能付きレンズで同期させた立体映像が可能と思われる
【０００３】
この改善策として既成品を互換しやすくするために用いて組み合わせる。
【発明の開示】
【発明が解決しようとする課題】
【０００４】
平面表現のための従来の技術がテレビに活かされる事に慣れたため解決
しようとする問題点は、映像データをデータとしての色、音、ノイズを
流体的に１秒ずつ停滞させることである。
【課題を解決するための手段】
【０００５】
焦点を自動的に整え動体の輪郭や視覚に耐えうるデータが１秒おきに
送られてくるから映像、音声端子をパネルにつないで音やノイズの固
りにおきかえる。同じ視座がすべての物をとらえる事は注意力が散漫
になり２つの目で立体像を脳で再現するには、従来の平面表現で慣れた
物の見方では１に主体  ２に客体がせいぜいである。これ以外の流体
表現即ち時間のずれを利用して２つ以上の自動焦点レンズ機能で平面
映像より変換されたものは、何らかの音、ノイズ、色の塊であり、ＤＶＤ
やレンタルソフトのＶＨＳ、ＤＶＤ機能付きレコーダーの活用をうながし、
立体における臨場感そのものを味わえて、従来からある映像の補正技術
や人間の目で結ばれる焦点では捕らえきれないそのままの撮影されたあ
りのままの記録が人一人ずつの目撃し体験した結果が異なる立体的又臨場感
を伴う想像を超えた家電製品のものである。
自動焦点レンズは映像の中心物とそれ以外のものに合わせて１から８個までが
妥当と考えられる。
その自動焦点調節機能付きレンズが箱の上に前出のレンズの数だけ出来るだけ
小さな穴をデータを送るため外側の隙間を密閉して用意しておく。
後はレンタルソフトを再生するためのＶＨＳ並びにＤＶＤ再生レコーダーに組
みこまれたＣＰＵ演算回路が平面ＴＶ並みの映像を構築させる補助を果たすと
思われる。立体映像動画装置の外観は球体を中心とする箱でありこれはまた
主体的映像と客体的映像の２種類が、球と立方体という相反する概念のなかで
再生された映像を自動焦点機能付きレンズで人間の目のかわりに装置自体に機能
をまかせる事による立体映像はもとより映像を平面ＴＶから飛び出させる体感機
能も果たすと思われる。
【発明の効果】
【０００６】
本発明の４次元動画装置は、生活や人の趣味や嗜好に訴えるものである。
記録の残されたＤＶＤ、ＶＨＳテープや家庭用ホームＤＶＤ撮影機で
感動を臨場感と共に再び堪能できるＴＶ好きや、映画好き必見のシーン
再生の実現である。
【発明を実施するための最良の形態】
【０００７】
丸い透明なボールを光源としてそれが付属する台を回転させ２枚の小型の
薄型フラットプラズマテレビ用パネルでこの寸法における同一平面パネルを
ぶれのない均等のサイズで映像を毎秒送り込みこの透明な球体の中に滞留
させ完全に密封状態開閉可能および、データ送信用コードでテレビ、ＶＨＳや
ＤＶＤソフトを簡単につなぐこととする。丸い透明ボール又は透明箱に流体的
に全データを秒刻みで滞留させそれが乗る台座を回転調節させることが重要
である。